(57)【要約】      （修正有）【課題】車内シートを損傷しない使い勝手の良い車載用のゴルフバッグカバーを提供する。【解決手段】ゴルフバッグカバー１はゴルフバッグを収納時にゴルフバッグ全体を包む大きさに拡張する伸縮性生地で作成されており、ゴルフバッグカバー１の上方及び胴部２は閉塞され、下端にはゴルフバッグの出入り口になる開口部１０が設けられ、開口部１０には開口縁に閉じ紐３を回して設け、ゴルフバッグカバー１の長手方向の中途にゴルフバッグの取手を突出させるための取手口を設けた。カバー１自体が硬質物を露出せず、フルカバーで車内シート等を擦過等で損傷しない。【選択図】図１
0003179940.tif 000002
【実用新案登録請求の範囲】
【請求項１】
ゴルフバッグ（Ｇ）を包むゴルフバッグカバー（１）であって、ゴルフバッグ収納時にゴルフバッグ全体を包む大きさに拡張する伸縮性生地で作成されており、ゴルフバッグカバー（１）の上方及び胴部（２）は閉塞され、下端には開口部（１０）が設けられ、開口部（１０）には開口縁に伸縮性の閉じ紐（３）を回して設けたことを特徴とする車載用のゴルフバッグカバー。
【請求項２】
ゴルフバッグ（Ｇ）を包むゴルフバッグカバー（１）であって、ゴルフバッグカバー（１）は平常時はゴルフバッグ（Ｇ）より小さく構成されて収納時にゴルフバッグ全体を包む大きさに拡張する伸縮性生地で作成されており、ゴルフバッグカバー（１）の上方及び胴部（２）は閉塞され、下端には開口部（１０）が設けられ、開口部（１０）には開口縁に伸縮性の閉じ紐（３）を回して設け、ゴルフバッグカバー（１）の長手方向の中途にゴルフバッグ（Ｇ）の取手（ＧＨ）を突出させるための取手口（１１）が設けられ、さらにゴルフバッグカバー（１）の内側上端に、カバー本体（１）を折り畳んで収納するファスナー（１６）を備えた袋ケース（１５）を設けたことを特徴とする車載用のゴルフバッグカバー。
【請求項３】
前記取手口（１１）には、ファスナー（１２）が設けられ、ファスナー（１２）のスライダー（１３）にはキャップ（１４）を設けたことを特徴とする請求項２に記載の車載用のゴルフバッグカバー。
【請求項４】
前記伸縮性生地は、平常時の１．５〜２倍に延び、かつ閉じ紐（３）も１．５〜２倍に延びることを特徴とする請求項１又は請求項２のいずれかに記載の車載用のゴルフバッグカバー。
【請求項５】
前記伸縮性生地は、ナイロン編地又はポリウレタン編地である請求項１又は請求項２又は請求項４のいずれかに記載の車載用のゴルフバッグカバー。
【請求項６】
前記ゴルフバッグカバー（１）には、表面にロゴマークがプリントされ、そのロゴマークは、ゴルフバッグ（Ｇ）に被せた拡張状態で、所定の形態になることを特徴とする請求項１〜請求項５のいずれかに記載の車載用のゴルフバッグカバー。
【考案の詳細な説明】
【技術分野】
【０００１】
本考案は、自動車等のシート（座席）に載せるゴルフバッグを包む（入れる）ための車載用のゴルフバッグカバーに関するものである。
【背景技術】
【０００２】
従来のゴルフバッグカバー（キャディバッグカバー）は、宅配便や荷物としてのゴルフバッグ自体の安全運搬の目的から作成され、厚手で比較的しっかりとした素材（合成繊維織物、合成皮革  宅配用ではクラフト紙等）からなり、運搬中にゴルフバッグやゴルフクラブ等のギアが損傷しないように配慮されたものである。
ゴルフバッグカバーは、外面を硬質化して丈夫にし、内面を柔軟にする傾向であった。
宅配便等での運搬中には振動のために、カバー素材が硬質であるとゴルフバッグの表面がカバーとの摩擦で擦れ、傷ついてしまうのを防ぐためである。
つまり、従来のゴルフバッグカバーはゴルフバッグを入れて梱包して、ゴルフバッグが傷つかないようにゴルフバッグを被覆し、かつ運搬に適するように手でもちやすい紐やベルトで巻き付けた構成である。
【０００３】
又、出し入れが迅速容易なように、袋体の前面にゴルフバッグの長手方向に全長に伸びるファスナーが設けられているものが知られている。
上下閉塞した袋体で、長手方向の長手面に長いファスナーを設けて、そこを出し入れ口としているカバーである。
又、さらに底に締結手段（ファスナー、ベルベットファスナー  面ファスナー等）を形成して、オーバーカバーとしたものなどがある。
さらには、送付先ラベルを挿入する窓や後入れするジッパー付のポケットや開口部分に面ファスナーを設けたものなどがある。
いずれも、ゴルフバッグを収納するためのものであるので、ゴルフバッグの寸法より大きく設計され、全体がすっぽり入る大きさに設計されているオーバーカバーである。
【０００４】
ゴルフバックに被せるカバーは、側面全長に長いファスナーを設けるほか、底部を開口しているものもある。
カバーを被せた時ゴルフバックの硬質な底部が露出するようにしておくことでカバーが、ゴルフバッグの底部と床面の間にはさまって、カバーが擦り切れることや汚れることが少なくなるという理由である。
縦置きの場合を想定した形になっている。
【０００５】
ゴルフバッグ（キャディバッグ）は、そのサイズ（ロ径）や高さががプロ仕様の大型から小型のものまで、デザインも多様で、多種売られている。
このため、これまでのカバーはこれに合わせて各種多様なヴァージョンで設計され、被せたときにカバーがだぶつかず、持ち運びしやすいようにしている。
【０００６】
ゴルフバッグカバーの部材は、化学繊維および混紡などの合成繊維の織物生地、合成皮革  宅配用ではクラフト紙等が採用され、裏面や接合部位にポリウレタン、アクリルなどの防水層がコーティング加工されたものが多く採用されている。スライドファスナーやポケット、デザイン上の小物入れ、金属アクセサリーなどが逢着等で設けられている。
硬質樹脂、金属部位が、点状或いは線状に露出している。
【先行技術文献】
【特許文献】
【０００７】
【特許文献１】実開平０７−０３４８６４
【特許文献２】特許４２２９２６８号
【特許文献３】実開平０５−００９５７１
【考案の概要】
【考案が解決しようとする課題】
【０００８】
従来の前記のようなゴルフバッグカバー・キャディバッグカバーは、ゴルフバッグ運搬のための目的で作成されている。
素材は比較的しっかりした素材で、開口部には硬質樹脂の長い全面にわたるファスナーやファスナーのスライダーが露出し、ファスナー歯が露出している。
ポケットのあるもの、底部を安定させるために、硬質底を設けたオーバーカバーもある。
中に入るゴルフバッグを保護する機能やファスナー等の使い勝手の良さ、デザインをある程度取り入れるために、外面に突起物や硬質物が露出していることは特に問題とはならなかった。
【０００９】
さて、ゴルフバッグは、宅配便に依頼して運搬する以外に、自前でゴルフバッグカバーを用意し包み、マイカーで持参携行することもある。
そのとき、トランクがいっぱいのときや、他の荷物の都合で入りきらないときや、車種によってはラゲッジスペースに入りきらないとき、ゴルフバッグカバーで包んだゴルフバッグを、そのままリアシート席に車載することがある。
さすがに、ゴルフバックをそのままリアシートに車載するには、コースでの使用後で、泥で汚れたりしているので、リア席が汚れてしまうのを避けて、ゴルフバッグカバーに入れて車載することになる。
【００１０】
ところが車のシートや肘レストが本革シートの場合、従来のゴルフバッグカバーで包んだゴルフバッグをそのままを車載するときは、横向きで、重いのでシートの上で引きずったりすることがある。
そのとき、カバー自体に様々な硬質部品（ファスナーの摘みスライダー  、ポケットの角、硬質樹脂製のボトム  接合部位の硬質部、面ファスナーの端部）などが露出してあるので、その重い荷物全体を押して入れるときや降ろすときに、本革シート等を傷つけてしまうことがあった。
本革シートに白い筋のようなめくれができたりする。
【００１１】
従来のゴルフバッグカバーは、中身のゴルフバッグを保護する目的機能であるので、外部に出ている突起や硬質部が、周辺にあるなにかを損傷することまでは予想していなかった。
心理的には、愛用のゴルフギアは、リアシートに車載したいし、一方愛車を汚したくないという気持ちがある。
そして実は、愛車マイカーでゴルフに行く場合などは、傍に置ける車載専用のゴルフバッグカバーに強い要請があったのである。
【００１２】
本考案では、本革シートを傷めず車載でき、その周辺のものを損傷しない構造のゴルフバッグカバーを開発することを目的とする。
まず、本考案のゴルフバッグカバーは、ゴルフバッグ本体及びマイカー（愛車）の内装（リア席  助手席  などの本革シートや本革内装  メタリック部）を保護するのを第一の目的とする。
第二の目的は、中に入れるゴルフバッグの大小を問わず、しっかりカバーできることである。
ゴルフバッグに容易に被せたり取外したりでき、被せたときにバッグに確実にフィットし保持できることである。
【００１３】
第三の目的は、ゴルフバッグカバー自体を、軽量にして、携帯に便利で、コンパクトに折り畳み収納できるものとすることである。
【課題を解決するための手段】
【００１４】
上記目的を達成するために、本考案は、ゴルフバッグを包むゴルフバッグカバーであって、ゴルフバッグカバーはゴルフバッグ収納時にゴルフバッグ全体を包む大きさに拡張する伸縮性の生地で作成されており、カバーの上方及び胴部は閉塞され、下端には開口部が設けられ、底の開口部には開口縁に伸縮性の閉じ紐を回して設けたことを特徴とする車載用のゴルフバッグカバーを提案する。
生地は、可撓性（曲げたわめることができること）、柔軟性  伸縮性がある。
【００１５】
本考案のゴルフバッグカバーは平常時には通常のゴルフバッグの寸法より小さく（短いものや細いものを含む）構成されていて、ゴルフバッグ収納時にゴルフバッグ全体を包む大きさに拡張する伸縮性の生地で作成されているものを提案する。
平常時の大きさから２倍に拡張できる生地である。
無収納時とゴルフバッグ収納時の大きさは、１：２の伸縮率である。
【００１６】
ゴルフバッグカバー胴部にはゴルフバッグの取手を突出させるための切欠線状の取手口が設けられている。
マイカーで運搬する場合は、乱暴に荷物を扱うことはなく、実際は車への出し入れのときにのみ持ち上げ触れる程度である。
その場合は、数分の持ち上げであるので、ゴルフバッグの取手を握って、持ち上げることで搬入車載できる。
【考案の効果】
【００１７】
本考案のゴルフバッグカバーは、車載用に特化したゴルフバッグカバーともいえるものである。
バッグを入れたゴルフバッグカバーは、ゴルフ場から、直ちにマイカーのリア席や助手席に車載され、家に着いて降ろすという流れの中で、運搬のために握り掴み持ち上げるのは瞬時である。
そこで取手を掴むことができれば十分出し入れ遂行できる労力のものであり、むしろ運転移動中や出し入れの行為の中で、不測にもカバーが振動で揺れ動いたり、出し入れ行為で、愛車の内装を擦ったり損傷することがあるので、運搬中の堅牢さはそれほど重視しなくて良いことに気付いた。
本考案は、その流れを直視して、車載に特化して配慮した構成であり、次のような技術的効果がある。
【００１８】
（１）このゴルフバッグカバーをゴルフバッグに被せるだけでよく、下端開口部の閉じ紐を閉じることにより、ゴルフバッグの底部の上付近やゴルフバッグ全体を包むことができる。
ゴルフバッグには、硬質物や突起物がなく、マイカーのリア席に車載しても、シートや周囲の内装を損傷することはない。
（２）伸縮性生地であるので、大小のゴルフバッグの寸法に影響されずに、どのような型のゴルフバッグでもフィットして無駄な空間を開けずに被覆できる。
（３）伸縮性生地であるのでゴルフバッグにフィットしてだぶつかなくなるので、カバーが動きにくくなり、内部でも擦過や擦れが生ぜず、カバーに入れた状態のゴルフバッグが運びやすくなる。
取手口からゴルフバッグの取手を突出させれば、その取手を握って持ち運べる。
そのほか、内部のゴルフバッグの形状がわかるため、例えば他との区別性やバッグポケットの位置がわかるなどの様々な効果がある。
【図面の簡単な説明】
【００１９】
【図１】本考案に係るゴルフバッグカバーの実施例１を示す正面図である。実施例１は、取手口に特異なファスナーを設けたものであり、表側を示している。
【図２】同じく実施例１のゴルフバッグカバーに使用するファスナーの部分図である。ファスナーのスライダーハンドルのキャップを示している。
【図３】同じく実施例１のゴルフバッグカバーであって、全体を裏返しにした状態の正面図である。内部の上端縁に袋ケースを逢着している。
【図４】実施例２のゴルフバッグカバーを示すもので、ファスナーは設けずに取手口を形成したものを示している。胴部中途に目印を設けている。
【図５】実施例１のゴルフバッグカバーであって、ロゴマークを表示したゴルフバッグカバーをゴルフバッグに被せて、ゴルフバッグの底部を露出させて閉じ紐を結んだ状態の斜視図である。
【図６】実施例１・実施例２に使用するナイロン編地を示す説明図である。縦横に伸縮する編地である。
【図７】実施例１をゴルフバッグの全体に被せた状態で、ゴルフバッグの底までを被覆する状態を示す一部斜視図である。
【図８】実施例２のゴルフバッグカバーをゴルフバッグに被せて、ゴルフバッグの底部を露出させて閉じ紐を結んだ状態で、取手を取手口から露出させた状態の図面代用写真である。
【考案を実施するための形態】
【００２０】
以下、本考案の実施の形態について図面を参照して説明する。
本考案はゴルフバッグ（Ｇ）を包むゴルフバッグカバー（１）であって、ゴルフバッグカバー（１）は平常時はゴルフバッグ（Ｇ）より小さく構成されていて、収納時にゴルフバッグ（Ｇ）全体を包む大きさに拡張する伸縮性生地で作成されており、ゴルフバッグカバー（１）の上方及び胴部（２）は閉塞され、下端にはゴルフバッグ（Ｇ）の出入り口になる開口部（１０）が設けられ、開口部（１０）には開口縁に伸縮性の閉じ紐（３）を回して設け、ゴルフバッグカバー（１）の長手方向の中途にゴルフバッグ（Ｇ）の取手（Ｇ１）を突出させるための取手口（５）が設けられている車載用のゴルフバッグカバーである。
【００２１】
前記伸縮性生地は、例えば、ナイロン編地である。
ジャージ生地などであるが、伸縮性は、ループ（わな）を連続的につづりあわせて編み上げた編地の組成で調整できる。
そのほか、ポリウレタンを素材とするポリウレタン編地や「エラクション  プロ」（商標）のようなストレッチ素材でもよい。
「エラクション  プロ」（商標）は「通常の生地よりも１．５〜２倍、縦横に伸びる」素材である。
図６は、伸縮性生地で、格子状に編まれた編地生地の拡大写真である。
【実施例１】
【００２２】
図１〜図３、図５〜図７に示す実施例１のゴルフバッグカバーについて説明する。
ゴルフバッグ（Ｇ）を包むゴルフバッグカバー（１）は、平常時はゴルフバッグ（Ｇ）より小さく（細く）構成されて収納時にゴルフバッグ全体を包む大きさに拡張する伸縮性生地で作成されており、ゴルフバッグカバー（１）の上方及び胴部（２）は閉塞され、下端には開口部（１０）が設けられ、開口部（１０）には開口縁（１１）に伸縮性の閉じ紐（３）を回して設け、ゴルフバッグカバー（１）の長手方向の中途にゴルフバッグ（Ｇ）の取手（Ｇ１）を突出させるための取手口（１１）が設けられている。
ゴルフバッグカバー（１）は、高さ略１２０ｃｍ，実施例１の図１のように、畳んだ状態で幅略５０Ｃｍ、である。ファスナー（１２）の長さは略３１Ｃｍである。全体の形状を「∩」として、上方を角丸としている。
【００２３】
ゴルフバッグカバー（１）は、平常時にはその大きさを通常のゴルフバッグより細く小さい形に収縮している大きさであるが、その伸縮性でゴルフバッグ（Ｇ）の全体を包み込む大きさになる。
小さい形とは、細い形状や長さが短い形状で、その一方又はその両者を含む形状である。
ゴルフバッグ（Ｇ）の全体とは、ゴルフバッグ（Ｇ）の底部（Ｇ２）を含む全部である。  
ゴルフバッグ（Ｇ）は大小さまざまな寸法であるが、市販品の大半はどのいずれでも全体を包み込む大きさに設計できる。
実施例１のゴルフバッグカバー（１）は、中央の縫着線（２１）で縫ってあり、全体が筒状の単純な「∩」形状にしている。
必ずしも、ゴルフバッグ（Ｇ）の形状に合わせることは必要ではなく、伸縮性でゴルフバッグ（Ｇ）の太い個所ではしっかり包み、細い個所では緩やかに包む。
つまり、本考案のゴルフバッグカバー（１）は、伸縮自在な生地で作成しており、平常時は小さく、しかしゴルフバッグ（Ｇ）を入れた時は、その形状に変化して包み、全体を被覆できる大きさと形状に変化する素材である。
【００２４】
このような構成は、ゴルフバッグ（Ｇ）のカバー（１）では、従来ないことであり、ゴルフバッグ（Ｇ）に大小や型の違いがあっても、カバー（１）が伸縮生地で変形するので全体を被覆できる。
そして、ゴルフバッグカバー（１）は、その胴部（２）には、長く全面のファスナーなどの硬質物が露出していない。
実施例１では、取手口（１１）を形成するだけの短いファスナー（１２）を設け、そのスライダー（１３）のハンドル（ツマミ）に、柔軟な樹脂製のハンドルキャップ（１４）を形成したものである。
ゴルフバッグカバー（１）の表側には、左右の生地で覆われた短いファスナー（１２）が設けられ、しかもスライダー（１３）のその小さなハンドルには、柔らかいハンドルキャップ（１４）が被せてあって、全く硬質物が露出していない構成である。
【００２５】
ゴルフバッグ（Ｇ）への被せ方は、ゴルフバッグカバー（１）の下端開口部（１０）を開いて、上から被せる。
折り畳んで収納した収納袋から出して、ゴルフバッグ（Ｇ）へ被せるだけの簡単装着である。
ゴルフバッグカバー（１）は、ナイロン編地で約２倍に拡張できる伸縮性生地で作成されており、同様に後述の開口部（１０）の閉じ紐（３）も約２倍に延びる伸縮性の延伸紐（ゴム紐を繊維で巻いた紐等）で作成している。
この構成のため、開口部（１０）は、平常時寸法の２倍以上に開口し、ゴルフバッグ（Ｇ）に素早く被せられ、容易に包み込むことができる。
伸縮程度は、元の寸法に対し、１，５〜２，５倍程度の生地が採用できる。
但し、内部のゴルフバッグ（Ｇ）をフィットして保持するのは、１．５〜２倍程度が好ましい。
又、閉じ紐（３）も１．５〜２，５倍程度延びる。少なくとも、伸縮生地と同程度以上の延伸性が求められる。
【００２６】
図３は、ゴルフバッグカバー（１）の裏返しの状態を示しているが、その内側上端には、これに続くゴルフバッグカバー（１）本体部分を折り畳んで収納するファスナー（１６）を備えた袋ケース（１５）を逢着している。
コンパクトに収納するためである。
このような畳み方が可能なのは、単に生地を薄くすれば畳めるということではなく、硬質物の装着などをしていないためである。
ゴルフバッグカバー（１）の開口部（１０）から巻き込み、胴部（２）を畳んで小さくして袋ケース（１５）に押し込んで、コンパクトにできる。
【００２７】
図５のように、ゴルフバッグ（Ｇ）を縦置きにしているときは、ゴルフバッグ（Ｇ）の底部（Ｇ２）を露出した状態で被せることができる。
縦置きの場合は、底部（Ｇ２）を露出した位置で、開口部（１０）の閉じ紐（３）を絞って縛り、固定するのが簡易である。
底部（Ｇ２）が露出するが、宅配便に依頼する場合は、このままで委託しても配達可能である。
底部（Ｇ２）まで被覆すると、通常の宅配便では、縦置きのまま積荷されるので、ゴルフバッグカバー（１）は穴が開くとか切れてしまうおそれがある。
底部（Ｇ２）を露出する幅は、底部（Ｇ２）の厚さによって適宜位置で縛ることができる。
【００２８】
自動車のリア席に載せるときは、ゴルフバッグ（Ｇ）全体を包んで、底部（Ｇ２）を包んで縛っておくことになる。
ゴルフバッグ（Ｇ）の硬質部分や汚れを露出させないためであり、又そのカバー（１）自体にも硬質部分がないので、リア席内装を傷つけるおそれは極めて少ない。
この場合は、上から被せて次いで横にして底まで包んで、閉じ紐（３）を絞って縛り、留め具（３０）で止める。
留め具（３０）や閉じ紐（３）は、底部（Ｇ２）の裏面中心あたりに纏められる。
底部（Ｇ２）の裏面中心あたりは凹んでいるので留め具（３０）や閉じ紐（３）は  押し込んで邪魔にならない。
ナイロン編地は、延び滑るので本革シートを痛めることはない。
【実施例２】
【００２９】
図４の実施例２は、ファスナー（１２）を使わずに取手口（１１）を形成したゴルフバッグカバー（１）である。
取手口（１１）の左右縁を対抗するように位置させて閉じる力を付勢して、ファスナー（１２）を省略した形態である。
内部の袋ケース（１５）や下端の開口部（１０）や閉じ紐（３）は、実施例１の構成と同じである。
【００３０】
ゴルフバッグカバー（１）の下部のあたりには、ゴルフバッグ（Ｇ）の大きさ例えば、プロ用、大人用、女性用、子供（Ｌ・Ｍ・Ｓ）等の大きさ等に合わせた色違いライン、目印（４）を表示している。
目印（４）は、その線を底部（Ｇ２）に合わせて折り込み、閉じ紐（３）を絞ることでゴルフバッグ（Ｇ）にフィットした入れ方をするためである。
目印（４）は、小さなゴルフバッグ（Ｇ）では、折り位置を上に上げて変えることで、均等な伸縮性で包むことができる。
自分のゴルフバッグ（Ｇ）の大きさを認識して、目印（４）を決めておけば、
折り込み位置がわかるので、均等な伸び具合で、ゴルフバッグ（Ｇ）を包むことができ、形良く収納できる。
表面のデザインは自由にできる。
【００３１】
実施例２では、ゴルフバッグカバー（１）の長手方向の中途にゴルフバッグ（Ｇ）の取手（Ｇ１）を突出させるための取手口（５）を設けるにあたって、内側に受け片を付設して設けている。
内側に受け片を設けて取手口（５）を付けるのは、取手（Ｇ１）が簡単に露出することを防ぐためである。
【００３２】
実施例１を示す図５のように、ゴルフバッグカバー（１）には、その上方部に、ロゴマークをプリントしている。
そのロゴマークは、ゴルフバッグ（Ｇ）に被せた状態即ち拡張された状態で、ロゴマークとして所定の形態になるようにプリントされている。
例えば、転写シートでロゴマークをプリントする。
市販の「アイロンプリントペーパー」（商標）は、転写シートの素材を、柔軟性が高く伸縮性のある素材にすることで、アイロンの中温設定（適正温度１４０度〜１６０度）で転写することができ、スポーツウェアなどの化学繊維素材の生地にも使用でき、転写後、約１．５倍まで伸ばしてもひび割れが起きにくい転写シートである。
このような素材を使用してロゴマークをプリントしている。
【００３３】
このような構成のゴルフバッグカバー（１）は、柔軟で軽量な生地であるので、折り畳んで、収納袋ケース（１５）にコンパクトに収納でき、ゴルフバッグ（Ｇ）のポケットに容易に入る大きさになる。
薄手で嵩張ることなく、持ち運びに便利である。
実施例１の折りたたみ時のサイズは、横２５０ｍｍ×縦１５０ｍｍで、重さ：約３００ｇである。
コンパクトに収納できる。
【００３４】
以上、本考案について説明したが、本考案は上記の実施例に限定されるものではなく、本考案の要旨の範囲内において適宜設計変形実施可能である。
【産業上の利用可能性】
【００３５】
本考案のゴルフバッグカバーは、リアシートや助手席に車載することを目的として開発されたものであるが、撥水加工やＵＶカット処理をすることで、雨水や日射に対する通常のゴルフバッグの保護カバーとしても利用することができる。
【符号の説明】
【００３６】
Ｇ    ゴルフバッグ
Ｇ１    取手
Ｇ２    ゴルフバッグの底部
１    ゴルフバッグカバー本体
１０    ゴルフバッグカバーの下端の開口部
１１    バッグ取手を引き出す取手口
１２    取手口のファスナー
１３    ファスナーのスライダー
１４    スライダーのハンドルに被せたキャップ
１５    袋ケース
１６    袋ケースのファスナー
２    ゴルフバッグカバー胴部
２１    胴部逢着部
３    閉じ紐（延伸紐）
３０    留め具
４    目印（ライン）
５    ロゴマーク等のマーク表示      
【図１】
0003179940.tif 000003
【図２】
0003179940.tif 000004
【図３】
0003179940.tif 000005
【図４】
0003179940.tif 000006
【図５】
0003179940.tif 000007
【図６】
0003179940.tif 000008
【図７】
0003179940.tif 000009
【図８】
0003179940.tif 000010